(57)【要約】【課題】カレンダー表示した場合、情報処理装置自身で作成したファイルデータ中の日付情報に基づき、当該日付情報の日付にファイルデータを関連付けしてカレンダーに表示する。【解決手段】少なくとも日付情報を有するファイルデータを記憶するデータ記憶手段と、カレンダーを表示するカレンダー表示手段と、記憶手段に記憶されたデータに基づき、カレンダー表示手段に表示されるカレンダーに関連付けて表示させるためのリンク情報作成手段と、リンク情報作成手段によって作成されたリンク情報を記憶するリンク情報記憶手段と、リンク情報記憶手段に記憶されたリンク情報に基づいてカレンダーに表示するためのアイコンを記憶するアイコン記憶手段とを備え、リンク情報記憶手段に記憶されたリンク情報をアイコン記憶手段に記憶されたアイコンでカレンダー表示手段に表示されるカレンダーに関連付けて表示させる。【選択図】　図１７
2004046317.tif 000002
【特許請求の範囲】
【請求項１】
少なくとも日付情報を有するファイルデータを記憶するデータ記憶手段と、
カレンダーを表示するカレンダー表示手段とを備え、
前記記憶手段に記憶されたデータを前記カレンダー表示手段によって表示されるカレンダーに関連付けて表示させることを特徴とする情報処理装置。
【請求項２】
少なくとも日付情報を有するファイルデータを記憶するデータ記憶手段と、
カレンダーを表示するカレンダー表示手段とを備え、
前記記憶手段に記憶されたデータ中の日付情報に基づき、前記カレンダー表示手段によって表示されているカレンダーの前記データ中の日付情報に関連付けて表示させることを特徴とする情報処理装置。
【請求項３】
他の情報機器からのデータを受信可能な情報処理装置において、
前記他の情報機器からのデータを受信するデータ受信手段と、
カレンダーを表示するカレンダー表示手段とを備え、
前記受信手段によって受信したデータを前記カレンダー表示手段によって表示されているカレンダーに関連付けて表示させることを特徴とする情報処理装置。
【請求項４】
他の情報機器からのデータを受信可能な情報処理装置において、
前記他の情報機器からのデータを受信するデータ受信手段と、
カレンダーを表示するカレンダー表示手段とを備え、
前記受信手段によって受信したデータ中の日付情報に基づき、前記カレンダー表示手段によって表示されているカレンダーの前記データ中の日付情報に関連付けて表示させることを特徴とする情報処理装置。
【請求項５】
少なくとも日付情報を有するファイルデータを記憶するデータ記憶手段と、
カレンダーを表示するカレンダー表示手段と、
前記記憶手段に記憶されたデータに基づき、前記カレンダー表示手段に表示されるカレンダーに関連付けて表示させるためのリンク情報作成手段とを備え、
前記リンク情報作成手段によって作成されたリンク情報を前記カレンダー表示手段に表示されるカレンダーに関連付けて表示させることを特徴とする情報処理装置。
【請求項６】
他の情報機器からのデータを受信可能な情報処理装置において、
前記他の情報機器からのデータを受信するデータ受信手段と、
カレンダーを表示するカレンダー表示手段と、
前記受信手段によって受信したデータに基づき、前記カレンダー表示手段に表示されるカレンダーに関連付けて表示させるためのリンク情報作成手段とを備え、
前記リンク情報作成手段によって作成されたリンク情報を前記カレンダー表示手段に表示されるカレンダーに関連付けて表示させることを特徴とする情報処理装置。
【請求項７】
少なくとも日付情報を有するファイルデータを記憶するデータ記憶手段と、
カレンダーを表示するカレンダー表示手段と、
前記記憶手段に記憶されたデータに基づき、前記カレンダー表示手段に表示されるカレンダーに関連付けて表示させるためのリンク情報作成手段と、
前記リンク情報作成手段によって作成されたリンク情報に基づいて前記カレンダーに表示するためのアイコンを記憶するアイコン記憶手段とを備え、
前記リンク情報作成手段によって作成されたリンク情報を前記アイコン記憶手段に記憶されたアイコンで前記カレンダー表示手段に表示されるカレンダーに関連付けて表示させることを特徴とする情報処理装置。
【請求項８】
他の情報機器からのデータを受信可能な情報処理装置において、
前記他の情報機器からのデータを受信するデータ受信手段と、
カレンダーを表示するカレンダー表示手段と、
前記受信手段によって受信したデータに基づき、前記カレンダー表示手段に表示されるカレンダーに関連付けて表示させるためのリンク情報作成手段と、
前記リンク情報作成手段によって作成されたリンク情報に基づいて前記カレンダーに表示するためのアイコンを記憶するアイコン記憶手段とを備え、
前記リンク情報作成手段によって作成されたリンク情報を前記アイコン記憶手段に記憶されたアイコンで前記カレンダー表示手段に表示されるカレンダーに関連付けて表示させることを特徴とする情報処理装置。
【請求項９】
少なくとも日付情報を有するファイルデータを記憶するデータ記憶手段と、
カレンダーを表示するカレンダー表示手段と、
前記記憶手段に記憶されたデータに基づき、前記カレンダー表示手段に表示されるカレンダーに関連付けて表示させるためのリンク情報作成手段と、
前記リンク情報作成手段によって作成されたリンク情報を記憶するリンク情報記憶手段と、
前記リンク情報記憶手段に記憶されたリンク情報に基づいて前記カレンダーに表示するためのアイコンを記憶するアイコン記憶手段とを備え、
前記リンク情報記憶手段に記憶されたリンク情報を前記アイコン記憶手段に記憶されたアイコンで前記カレンダー表示手段に表示されるカレンダーに関連付けて表示させることを特徴とする情報処理装置。
【請求項１０】
他の情報機器からのデータを受信可能な情報処理装置において、
前記他の情報機器からのデータを受信するデータ受信手段と、
カレンダーを表示するカレンダー表示手段と、
前記記憶手段に記憶されたデータに基づき、前記カレンダー表示手段に表示されるカレンダーに関連付けて表示させるためのリンク情報作成手段と、
前記リンク情報作成手段によって作成されたリンク情報を記憶するリンク情報記憶手段と、
前記リンク情報記憶手段に記憶されたリンク情報に基づいて前記カレンダーに表示するためのアイコンを記憶するアイコン記憶手段とを備え、
前記リンク情報記憶手段に記憶されたリンク情報を前記アイコン記憶手段に記憶されたアイコンで前記カレンダー表示手段に表示されるカレンダーに関連付けて表示させることを特徴とする情報処理装置。
【請求項１１】
少なくとも日付情報を有するファイルデータを記憶するデータ記憶手段と、
一日のスケジュールを記憶するスケジュール記憶手段と、
前記スケジュールを表示するスケジュール表示手段とを備え、
前記データ記憶手段に記憶されたデータを前記スケジュール表示手段によって表示されるスケジュールデータに関連付けて表示させることを特徴とする情報処理装置。
【請求項１２】
他の情報機器からのデータを受信可能な情報処理装置において、
前記他の情報機器からのデータを受信するデータ受信手段と、
一日のスケジュールを記憶するスケジュール記憶手段と、
前記スケジュールを表示するスケジュール表示手段とを備え、
前記データ受信手段で受信されたデータを前記スケジュール表示手段によって表示されるスケジュールデータに関連付けて表示させることを特徴とする情報処理装置。
【請求項１３】
前記記憶データが前記カレンダー表示手段によって関連付けされて表示されている時、関連付けされている日付を変更するための日付変更カレンダーを表示する手段を更に備え、
前記日付変更カレンダーを表示する手段によって表示されるカレンダーによって異なる日付を指示することで、カレンダーに対する関連付け表示を変更することを特徴とする請求項１乃至１２のいずれかに記載の情報処理装置。
【請求項１４】
前記記憶データが前記カレンダー表示手段によって関連付けされて表示されている時、関連付けされている日付を変更するための日付変更カレンダーを表示する手段と、
前記日付変更カレンダーを表示する手段によって表示されるカレンダーによって異なる日付を指示することで、前記リンク情報記憶手段の日付情報を変更する手段とを更に備え、
カレンダーに対する関連付け表示を変更することを特徴とする請求項９乃至１０のいずれかに記載の情報処理装置。
【請求項１５】
前記データ記憶手段は、データの種類別に記憶されることを特徴とする請求項１、２、５、７、９、１１、１３乃至１４のいずれかに記載の情報処理装置。
【請求項１６】
前記リンク情報記憶手段は、日付、データの種類を示すフォルダ名、及び、データのファイル名からなることを特徴とする請求項９乃至１０のいずれかに記載の情報処理装置。
【請求項１７】
他の情報機器からのデータを受信するデータ受信ステップと、
前記受信したデータを記憶するステップと、
前記記憶したデータの日付情報等に基づいてリンク情報を生成するステップと、
カレンダー表示を行なうステップと、
前記生成されたリンク情報に基づき、前記表示されたカレンダーのリンク情報中の日付に該当するカレンダーの日付部分に関連情報を表示するステップからなることを特徴とする情報処理方法。
【請求項１８】
他の情報機器からのデータを受信するデータ受信ステップと、
前記受信したデータを記憶するステップと、
前記記憶したデータの日付情報等に基づいてリンク情報を生成するステップと、
カレンダー表示を行なうステップと、
前記生成されたリンク情報に基づき、前記表示されたカレンダーのリンク情報中の日付に該当するカレンダーの日付部分に関連情報を表示するステップからなることを特徴とする情報処理プログラム。
【請求項１９】
請求項１８に記載の情報処理プログラムを記録したコンピュータ読み取り可能な記録媒体。
【発明の詳細な説明】
【０００１】
【発明の属する技術分野】
本発明は、他の情報機器から送信されてくるファイルデータを受信可能であって、カレンダー表示した場合、当該受信したデータの中の日付情報に基づき、当該日付情報の日付にファイルデータを関連付けしてカレンダーに表示する情報処理装置に関する。
【０００２】
【従来の技術】
従来の情報処理装置にはスケジュール機能を備えるものがある。当該装置は、一般的にはＰＤＡ（Ｐｅｒｓｏｎａｌ　Ｄｉｇｉｔａｌ　Ａｓｓｉｓｔａｎｔ）と呼ばれ、スケジュール機能や電話帳機能等を備え、最近はパーソナルコンピュータで作成されたデータを記憶して、適宜読み出し表示乃至編集が行なえるものもある。ＰＤＡでは、例えば、任意のスケジュールが登録可能であり、登録されたスケジュールは１ヶ月のカレンダー表示、又は、週間カレンダー表示の画面から任意の日付を指定することで、その日のスケジュールを一覧表示させることで予定の確認が行なえる。
【０００３】
また、任意の日付のスケジュールには複数の予定が登録可能であり、当該複数の予定はその日のスケジュール表示画面で一覧表示される。
【０００４】
当該従来の情報処理装置のスケジュール機能に加え、手書きメモ添付機能もある。
【０００５】
当該手書きメモ添付機能とは、あたかも手書きのメモ用紙をスケジュール帳に添付するが如くの機能であり、具体的には、情報処理装置に備えられた手書きメモアプリケーションを利用して、任意の手書きメモを作成する。その手書きメモを任意のスケジュールに添付しておき、適宜そのメモ帳を参照することが可能な機能である。当該従来技術は特開昭６２−２６０２６４号に記載されている。
【０００６】
また更に、従来の情報処理装置では、他の情報機器から送信されてくるデータを受信できる機能も備えている。当該受信機能は送信されてきたデータがファイルデータの場合、一旦、情報処理装置の記憶部に記憶される。記憶されたデータは適宜読み出されて情報処理装置の表示部に表示される。
【０００７】
【発明が解決しようとする課題】
上記従来の情報処理装置によれば、情報処理装置に登録されたスケジュールデータや当該スケジュールに添付されたメモ帳は表示させることが可能ではあるが、何れもデータそのものが情報処理装置によって登録されたものでしかなかった。
【０００８】
また、他の情報機器からスケジュールに関連したファイルデータが送信されてきても、スケジュールとは一切関係なく、単に記憶されるだけであった。
【０００９】
つまり、他の情報機器から送信されてくるデータをスケジュールに関連付けて記憶乃至表示させる機能は有していなかった。
【００１０】
本発明はこのような実情に鑑みて創案されたものであり、その目的は、カレンダー表示した場合、情報処理装置自身で作成したファイルデータや、他の情報機器から送信されてくるファイルデータ中の日付情報に基づき、当該日付情報の日付にファイルデータを関連付けしてカレンダーに表示することが可能な情報処理装置を提供することにある。
【００１１】
【課題を解決するための手段】
本発明の情報処理装置は、少なくとも日付情報を有するファイルデータを記憶するデータ記憶手段と、カレンダーを表示するカレンダー表示手段とを備え、
記憶手段に記憶されたデータをカレンダー表示手段によって表示されるカレンダーに関連付けて表示させることを特徴としている。
【００１２】
このような特徴を有する本発明によれば、カレンダーにファイルデータが添付されているか否かが容易に判別することが可能となる。
【００１３】
また、本発明の情報処理装置は、少なくとも日付情報を有するファイルデータを記憶するデータ記憶手段と、カレンダーを表示するカレンダー表示手段とを備え、記憶手段に記憶されたデータ中の日付情報に基づき、カレンダー表示手段によって表示されているカレンダーの前記データ中の日付情報に関連付けて表示させることを特徴としている。
【００１４】
このような特徴を有する本発明によれば、カレンダーの日付に対応して、ファイルデータが添付されているか否かが容易に判別することが可能となる。
また、本発明の情報処理装置は、他の情報機器からのデータを受信可能な情報処理装置において、他の情報機器からのデータを受信するデータ受信手段と、カレンダーを表示するカレンダー表示手段とを備え、受信手段によって受信したデータをカレンダー表示手段によって表示されているカレンダーに関連付けて表示させることを特徴としている。
【００１５】
このような特徴を有する本発明によれば、他の情報機器から送られてくるデータをカレンダーに添付することが可能となる。
【００１６】
また、本発明の情報処理装置は、他の情報機器からのデータを受信可能な情報処理装置において、他の情報機器からのデータを受信するデータ受信手段と、カレンダーを表示するカレンダー表示手段とを備え、受信手段によって受信したデータ中の日付情報に基づき、カレンダー表示手段によって表示されているカレンダーのデータ中の日付情報に関連付けて表示させることを特徴としている。
【００１７】
このような特徴を有する本発明によれば、他の情報機器から送られてくるデータをカレンダーの日付に対応させて添付することが可能となる。
【００１８】
また、本発明の情報処理装置は、少なくとも日付情報を有するファイルデータを記憶するデータ記憶手段と、カレンダーを表示するカレンダー表示手段と、記憶手段に記憶されたデータに基づき、カレンダー表示手段に表示されるカレンダーに関連付けて表示させるためのリンク情報作成手段とを備え、リンク情報作成手段によって作成されたリンク情報をカレンダー表示手段に表示されるカレンダーに関連付けて表示させることを特徴としている。
【００１９】
このような特徴を有する本発明によれば、カレンダーにファイルデータが添付されているか否かが容易に判別することが可能となる。
【００２０】
また、本発明の情報処理装置は、他の情報機器からのデータを受信可能な情報処理装置において、他の情報機器からのデータを受信するデータ受信手段と、カレンダーを表示するカレンダー表示手段と、受信手段によって受信したデータに基づき、カレンダー表示手段に表示されるカレンダーに関連付けて表示させるためのリンク情報作成手段とを備え、リンク情報作成手段によって作成されたリンク情報を前記カレンダー表示手段に表示されるカレンダーに関連付けて表示させることを特徴としている。
【００２１】
このような特徴を有する本発明によれば、他の情報機器から送られてくるデータをカレンダーに添付することが可能となる。
【００２２】
また、本発明の情報処理装置は、少なくとも日付情報を有するファイルデータを記憶するデータ記憶手段と、カレンダーを表示するカレンダー表示手段と、記憶手段に記憶されたデータに基づき、カレンダー表示手段に表示されるカレンダーに関連付けて表示させるためのリンク情報作成手段と、リンク情報作成手段によって作成されたリンク情報に基づいてカレンダーに表示するためのアイコンを記憶するアイコン記憶手段とを備え、リンク情報作成手段によって作成されたリンク情報をアイコン記憶手段に記憶されたアイコンでカレンダー表示手段に表示されるカレンダーに関連付けて表示させることを特徴としている。
【００２３】
このような特徴を有する本発明によれば、カレンダーにファイルデータが添付されている場合、アイコンが表示されるので添付の有無判別を容易に行なうことが可能となる。
【００２４】
また、本発明の情報処理装置は、他の情報機器からのデータを受信可能な情報処理装置において、他の情報機器からのデータを受信するデータ受信手段と、カレンダーを表示するカレンダー表示手段と、受信手段によって受信したデータに基づき、カレンダー表示手段に表示されるカレンダーに関連付けて表示させるためのリンク情報作成手段と、リンク情報作成手段によって作成されたリンク情報に基づいてカレンダーに表示するためのアイコンを記憶するアイコン記憶手段とを備え、リンク情報作成手段によって作成されたリンク情報をアイコン記憶手段に記憶されたアイコンでカレンダー表示手段に表示されるカレンダーに関連付けて表示させることを特徴としている。
【００２５】
このような特徴を有する本発明によれば、他の情報機器から送られてくるデータが添付されている場合、カレンダーにアイコンで添付することが可能となる。また、本発明の情報処理装置は、少なくとも日付情報を有するファイルデータを記憶するデータ記憶手段と、カレンダーを表示するカレンダー表示手段と、記憶手段に記憶されたデータに基づき、カレンダー表示手段に表示されるカレンダーに関連付けて表示させるためのリンク情報作成手段と、リンク情報作成手段によって作成されたリンク情報を記憶するリンク情報記憶手段と、リンク情報記憶手段に記憶されたリンク情報に基づいてカレンダーに表示するためのアイコンを記憶するアイコン記憶手段とを備え、リンク情報記憶手段に記憶されたリンク情報をアイコン記憶手段に記憶されたアイコンでカレンダー表示手段に表示されるカレンダーに関連付けて表示させることを特徴としている。
【００２６】
このような特徴を有する本発明によれば、カレンダーにファイルデータが添付されている場合、アイコンが表示されるので添付の有無判別を容易に行なうことが可能となる。
【００２７】
また、本発明の情報処理装置は、他の情報機器からのデータを受信可能な情報処理装置において、他の情報機器からのデータを受信するデータ受信手段と、カレンダーを表示するカレンダー表示手段と、記憶手段に記憶されたデータに基づき、カレンダー表示手段に表示されるカレンダーに関連付けて表示させるためのリンク情報作成手段と、リンク情報作成手段によって作成されたリンク情報を記憶するリンク情報記憶手段と、リンク情報記憶手段に記憶されたリンク情報に基づいてカレンダーに表示するためのアイコンを記憶するアイコン記憶手段とを備え、リンク情報記憶手段に記憶されたリンク情報をアイコン記憶手段に記憶されたアイコンでカレンダー表示手段に表示されるカレンダーに関連付けて表示させることを特徴としている。
【００２８】
このような特徴を有する本発明によれば、他の情報機器から送られてくるデータが添付されている場合、カレンダーにアイコンで添付することが可能となる。また、本発明の情報処理装置は、少なくとも日付情報を有するファイルデータを記憶するデータ記憶手段と、一日のスケジュールを記憶するスケジュール記憶手段と、スケジュールを表示するスケジュール表示手段とを備え、データ記憶手段に記憶されたデータをスケジュール表示手段によって表示されるスケジュールデータに関連付けて表示させることを特徴としている。
【００２９】
このような特徴を有する本発明によれば、スケジュールにファイルデータが添付されているか否かが容易に判別することが可能となる。
【００３０】
また、本発明の情報処理装置は、他の情報機器からのデータを受信可能な情報処理装置において、他の情報機器からのデータを受信するデータ受信手段と、一日のスケジュールを記憶するスケジュール記憶手段と、スケジュールを表示するスケジュール表示手段とを備え、データ受信手段で受信されたデータをスケジュール表示手段によって表示されるスケジュールデータに関連付けて表示させることを特徴としている。
【００３１】
このような特徴を有する本発明によれば、他の情報機器から送られてくるデータをスケジュールに添付することが可能となる。
また、本発明の情報処理装置は、記憶データが前記カレンダー表示手段によって関連付けされて表示されている時、関連付けされている日付を変更するための日付変更カレンダーを表示する手段を更に備え、日付変更カレンダーを表示する手段によって表示されるカレンダーによって異なる日付を指示することで、カレンダーに対する関連付け表示を変更することを特徴としている。
【００３２】
このような特徴を有する本発明によれば、データがカレンダーに関連付けられて表示されている場合、関連付けを日付変更カレンダーによって異なる日付変更することが可能となる。
【００３３】
また、本発明の情報処理装置は、記憶データがカレンダー表示手段によって関連付けされて表示されている時、関連付けされている日付を変更するための日付変更カレンダーを表示する手段と、日付変更カレンダーを表示する手段によって表示されるカレンダーによって異なる日付を指示することで、リンク情報記憶手段の日付情報を変更する手段とを更に備え、カレンダーに対する関連付け表示を変更することを特徴としている。
【００３４】
このような特徴を有する本発明によれば、データがカレンダーに関連付けられて表示されている場合、関連付けを日付変更カレンダーの任意の日付を指示することによって異なる日付に容易に変更することが可能となる。
また、本発明の情報処理装置は、データ記憶手段は、データの種類別に記憶されることを特徴としている。
【００３５】
このような特徴を有する本発明によれば、データが種類別に記憶されているので、データそのものを一覧表示した場合に一覧性よく確認することが可能となる。
【００３６】
また、本発明の情報処理装置は、リンク情報記憶手段は、日付、データの種類を示すフォルダ名、及び、データのファイル名からなることを特徴としている。このような特徴を有する本発明によれば、リンク情報が極めて少ないデータ量で作成することが可能となる。
【００３７】
また、本発明の情報処理方法は、他の情報機器からのデータを受信するデータ受信ステップと、受信したデータを記憶するステップと、記憶したデータの日付情報等に基づいてリンク情報を生成するステップと、カレンダー表示を行なうステップと、生成されたリンク情報に基づき、表示されたカレンダーのリンク情報中の日付に該当するカレンダーの日付部分に関連情報を表示するステップからなることを特徴としている。
【００３８】
このような特徴を有する本発明によれば、他の情報機器から送られてくるデータが添付されている場合、カレンダーにアイコンで添付することが可能となる。
【００３９】
また、本発明の情報処理プログラムは、他の情報機器からのデータを受信するデータ受信ステップと、受信したデータを記憶するステップと、記憶したデータの日付情報等に基づいてリンク情報を生成するステップと、カレンダー表示を行なうステップと、生成されたリンク情報に基づき、表示されたカレンダーのリンク情報中の日付に該当するカレンダーの日付部分に関連情報を表示するステップからなることを特徴としている。
【００４０】
このような特徴を有する本発明によれば、他の情報機器から送られてくるデータが添付されている場合、カレンダーにアイコンで添付することが可能となるとともに、プログラムとして実現することが可能となる。
【００４１】
またさらに、情報処理プログラムを記録したコンピュータ読み取り可能な記録媒体とすることで、媒体として提供することが可能となる。
【００４２】
【発明の実施の形態】
以下、本発明の実施の形態について、図面を参照して説明する。
【００４３】
図１は本発明の情報処理装置の実施形態の一例を示しており、情報処理装置としてのＰＤＡの外観を示している。図面において１はＰＤＡ本体であり、２は表示部、３はカーソルキー等の複数の操作キーを示す。
表示部２の前面には透明タブレット４が備えられており、表示部２に表示された入力キー（または、入力ボタン）を押下したり、手書き文字入力を行なったりすることが可能となっている。
透明タブレット４を使用して文字等を入力する場合、別途ＰＤＡ本体１に備えられた入力ペン５をＰＤＡ本体１から取り外して使用する。
【００４４】
尚、本発明の実施の形態では情報処理装置としてＰＤＡを例に説明するが、情報処理装置として、パーソナルコンピュータやデータ管理機能を有する携帯電話等、情報処理が可能な装置であれば何でも構わない。
図２は本発明の情報処理装置１のシステム全体を示すブロック図である。
【００４５】
図において６は中央制御部であり、各種命令に基づく入出力制御を行なうものであり、周辺に以下の構成が接続される。
【００４６】
表示部２が表示制御部７を介して中央制御部６に接続される。表示部２は液晶表示装置等が一般的ではあるが、データが表示可能なものであれば何でも構わない。
【００４７】
タブレット４がタブレット制御部８を介して中央制御部６に接続される。タブレット４による入力は表示部２に表示された入力キーを押下したり、手書き文字入力を行なったりすることが可能となっているため、タブレット制御部８は表示制御部７にも接続されている。
【００４８】
３は操作キー、９は電源部であり操作キー３の電源キー（図示せず）の電源投入操作に基づき中央制御部６に電源供給される。
【００４９】
１０はデータ受信部で、外部情報機器から送信されてくるデータを受信する。受信方法としては、外部情報機器とのケーブル接続や無線による受信が考えられる。また赤外線通信によるデータ受信も方法の一つである。
【００５０】
１１はデータ受信部を制御するためのデータ受信制御部である。
【００５１】
１２はＲＯＭ（Ｒｅａｄ　Ｏｎｌｙ　Ｍｅｍｏｒｙ）であり、情報処理装置１で使用可能な各種アプリケーションプログラムや表示部及びタブレット等、中央制御部６に接続された各種構成を制御するためのプログラム等が記憶されている。
【００５２】
１３はＲＡＭ（Ｒａｎｄｏｍ　Ａｃｃｅｓｓ　Ｍｅｍｏｒｙ）であり、情報処理装置１に入力されたデータやデータ受信部１０を介して外部情報機器から送られてくるデータが記憶される。
【００５３】
図３はＲＯＭ１２の詳細を示す図である。
【００５４】
２１はＰＤＡの各構成を制御する制御プログラムである。制御プログラムとは表示制御、タブレット制御、または、データ受信部の制御等を行なうためのプログラムである。
【００５５】
２２は各種アプリケーションプログラムである。各種アプリケーションプログラムとはスケジュール機能や電話帳機能などのプログラムや、パーソナルコンピュータ等の外部情報機器から送られてくる画像データを表示するプログラムがある。また、アプリケーションプログラムは適宜追加することも可能となっている。
【００５６】
ＲＯＭ１２には上記アプリケーションプログラムの他に各種アプリケーションプログラムに使用するためのデータも記憶されている。
【００５７】
２３はアイコン記憶部であり、例えば、スケジュールに関するアプリケーションプログラムに使用するためのアイコン等が記憶されている。このアイコン記憶部２３に記憶されたアイコンが適宜カレンダーに表示される。
【００５８】
２４はリンク情報生成プログラムである。当該プログラムの詳細は後述する。
【００５９】
図４はＲＡＭ１３の詳細を示す図である。
【００６０】
３１は受信データ一時記憶部であり、データ受信部１０で受信した外部情報機器から送信されてくるデータを一時記憶するために設けられている。
【００６１】
３２はデータをフォルダ別に記憶するフォルダ記憶部である。フォルダ記憶部３２は外部情報機器から送られてくるファイルデータを種類別に記憶する。
【００６２】
３３はリンク情報記憶部であり、フォルダ記憶部３２に記憶されたデータをカレンダーに関連付けて表示させるために作成されたリンク情報を記憶する。尚、詳細は後述する。
【００６３】
３４はスケジュール記憶部であり、情報処理装置に入力されたスケジュールを記憶する。
【００６４】
ＲＡＭ１３には、その他各種アプリケーションプログラムによって作成されたデータが記憶される。
【００６５】
上記本発明の情報処理装置の構成を有するものの動作について図５以降を用いて説明する。尚、本発明の情報処理装置に送信されるデータはパーソナルコンピュータから送信されてくるファイルデータを例に説明する。
【００６６】
図５は情報処理装置でデータを受信してリンク情報を生成記憶するまでの処理手順を示すフローチャートである。
【００６７】
情報処理装置１には複数の機能が備えられているが、本発明ではカレンダー表示機能乃至スケジュール機能を動作させた場合について説明する。
【００６８】
まずステップＳ１において、パーソナルコンピュータから送られてくるファイルデータを受信する。受信されたデータはＲＡＭ１３の受信データ一時記憶部３１に記憶される。
【００６９】
尚、ファイルデータとは、パーソナルコンピュータで作成されたデータやインターネットを介して取り込んだ画像データである。具体的には、図８のように、ファイルデータ４１は、ファイル名４２、ファイルの種類や作成日等の日付情報からなるヘッダ情報４３、データ４４、及び、ファイルデータ４１の最後を示す情報であるｅｎｄ４５の構成からなるフォーマットとなっている。
【００７０】
ステップＳ２において、受信されたファイルデータ４１のヘッダ情報４３中のファイルの種類情報に基づきファイルの種類を判別する。具体的には、中央制御部６に備えられたファイル判別部１４によって、送信ファイルの種類が判別される。
【００７１】
ステップＳ３において、ステップＳ２で判別されたファイルの種類別にファイルデータをＲＡＭ１３のフォルダ記憶部３２に記憶する。
【００７２】
フォルダ記憶部３２の詳細は図９に一例として示している。フォルダ記憶部３２はテーブル化されており、フォルダ名４６はファイルデータの種類ごとに割り振られている。同図において「ｉｍａｇｅ」フォルダはファイルデータが画像データを指し、「ｔｅｘｔ」フォルダはファイルデータが文字等からなるテキストからなるものを示す。
データ４７にはファイルデータが記憶される。ファイルデータは図８のファイルデータフォーマットで記憶され、記憶データの一例としてファイル名が「Ａ００１」、ヘッダ情報としてデータの種類を示す「ｊｐｅｇ」、日付情報を示す「２００２／０６／２８」、以下、データとｅｎｄ情報が記憶されていることを示す。
【００７３】
ステップＳ４でカレンダー機能を選択する。尚、情報処理装置１にはその他複数の機能が備わっている。カレンダー機能の選択は情報処理装置の画面（図示せず）に表示されたカレンダーアイコンの指示によって行なうことができる。尚、カレンダーアイコンはＲＯＭ１２のアイコン記憶部２３に記憶されている。
【００７４】
ステップＳ５ではリンク情報が生成・記憶される。
リンク情報の生成はＲＯＭ１３のリンク情報生成プログラム２４によって行なわれ、作成されたリンク情報はＲＡＭ１３のリンク情報記憶部３３に記憶され、その詳細は、図１０に示される。
【００７５】
リンク情報記憶部３３は日付４８、フォルダ名４９、ファイル名５０の各々の項目からなるテーブルで構成される。同図において、２００２年６月２８日には１件のデータリンク情報が記憶されており、２００２年６月２９日には２件のデータリンク情報が記憶されていることを示している。
【００７６】
図１１はリンク情報の生成・記憶についての処理手順を示すフローチャートである。
【００７７】
まず、ステップＳ５１でＲＡＭ３２のフォルダ記憶部３２に記憶される１件のデータに対応する日付情報が読み出される。
【００７８】
ステップＳ５２ではステップＳ５１で読み出された日付情報が、リンク情報記憶部３３の日付４８に既に記憶されているかどうかが判断される。
判断の結果、読み出された日付が既に記憶されている場合、ステップＳ５４に進み、既に記憶されている日付情報に対応するデータ中のフォルダ名を読み出し、ステップＳ５５でリンク情報記憶部３３にフォルダ名を書き込む。引き続き、ステップＳ５６でファイル名を読み出し、ステップＳ５７でリンク情報記憶部３３にファイル名が書き込まれリンク情報が生成される。
【００７９】
また、ステップＳ５２で読み出された日付が記憶されていない場合、リンク情報記憶部３３の日付４８に読み出された日付を日付情報として新たに書き込みを行い（ステップＳ５３）、ステップＳ５４以降の処理に進み、フォルダ名とファイル名のデータの書き込みが順次行なわれ、リンク情報が生成される。
【００８０】
次に情報処理装置におけるスケジュールアプリケーションの処理手順について、図６のフローチャートに基づき説明する。
【００８１】
まず、ステップＳ６で今日のスケジュールを表示する。具体例としては図１２の表示画面が情報処理装置１の表示部２に表示される。尚、以下の表示の具体例おいて表示された文字やアイコンは全てキーまたは入力ボタンとして機能する。図１２においては日付ボタン６０で２００２年３月６日のスケジュールが表示されていることを示している。日付ボタン６０をペン５で指示することによってカレンダー表示（図示せず）が行なわれ、任意の日のスケジュール表示に切換えることも可能である。同図において、その日には複数の予定が既に入力されていることを示している。
【００８２】
また、同図においては、新規作成ボタン６１、１日表示ボタン６２、週間表示ボタン６３、月間表示ボタン６４、及び、ファイルボタン６５によって他の表示に切換えることも可能である。他の表示に切換える場合についてはステップＳ７以降で説明する。
【００８３】
ステップＳ７で図１２の新規作成ボタン６１を指示することにより、表示部２の表示が、今日のスケジュール表示から新規スケジュール入力表示に表示が切り換る。（ステップＳ８）
ステップＳ９でスケジュール入力を行なう。具体的には、図１３の新規スケジュール入力表示を使用する。同図において件名、場所、及び、開始や終了等の時間情報が入力できる。尚、文字の入力は適宜文字入力部６６によって入力が行なえるようになっている。
【００８４】
ステップＳ１０でＯＫボタン６７が指示されると、ステップＳ１１に進みＲＡＭ１３のスケジュール記憶部３４に新規スケジュールとして記憶され、ステップＳ６に戻る。尚、ステップＳ１０でＯＫボタン６７が指示されない場合は、適宜スケジュール項目へのデータ入力が行なえる。
【００８５】
次に、ステップＳ１２で図１２の週間表示ボタン６３を指示することにより、表示部２の表示が、今日のスケジュール表示から週間表示に表示が切り換る。（ステップＳ１３）具体例としては図１４の表示となる。
【００８６】
同図においては、入力されたスケジュールは棒グラフで表示される。また、図１２と同様に新規作成ボタン６１、１日表示ボタン６２、週間表示ボタン６３、月間表示ボタン６４が備えられており、更に日付ボタン６８によって指示された日のスケジュール表示に切換えることができる。（ステップＳ１４）
次に、ステップＳ１５で図１２の月間表示ボタン６４を指示することにより、表示部２の表示が、今日のスケジュール表示から月間表示に表示が切り換るが、処理手順の詳細は後述する。
【００８７】
次に、ステップＳ１６で図１２に表示されている複数の予定から任意の予定を指示することにより、表示部２の表示が、今日のスケジュール表示から、予定の詳細表示に切り換る。（ステップＳ１７）具体例としては、図１５のように１件の予定の詳細な表示となる。図１５の表示において、×ボタン６９を指示するとステップＳ６に戻る。（ステップＳ１８）
次に、ステップＳ１９で図１２に表示されているファイルボタン６５を指示することにより、その日のスケジュールに添付されたファイルの一覧を表示する。（ステップＳ２０）具体例としては、図１６のように複数の添付ファイルが一覧表示される。図１６の一覧表示は、ＲＡＭ１３のリンク情報記憶部３３に基づき表示される。ステップＳ２１で一覧表示されたファイルの任意のファイルをペン５で指示すると、指示されたファイルの種類に応じたアプリケーションプログラムを起動し（ステップＳ２２）、ファイルのデータを表示する。（ステップＳ２３）尚、アプリケーションプログラムはＲＯＭ１２に各種アプリケーションプログラム２２として記憶されている。データ表示を終了させる場合はアプリケーションプログラムに備わっている終了ボタン（図示せず）で終了する（ステップＳ２４）と処理はステップＳ２０に戻る。
【００８８】
また、ステップＳ２１で任意のファイル指定を行なわない場合、図１６に示されている他の任意のボタンで表示を切換えることができる。（ステップＳ２５）
図７は図６のステップＳ１５に続いての処理手順を示すフローチャートであり、具体的には、リンク情報がカレンダーに関連付けされて表示される処理手順を示す。
【００８９】
ステップＳ２６で１ヶ月のカレンダーを表示する。例えば、ステップＳ６で２００２年３月６日の表示が行なわれていた場合、２００２年３月のカレンダーが表示される。
【００９０】
ステップＳ２７でその月の１日のスケジュールの有無が判断される。１日のスケジュールが記憶されている場合、ＲＯＭ１２のアイコン記憶部２３からスケジュールアイコンが読み出され（ステップＳ２８）、ステップＳ２９でカレンダーの１日にスケジュールアイコンが貼り付けされる。
【００９１】
次に、ステップＳ３０でＲＡＭ１３のリンク情報記憶部３３の日付４８に１日の情報があるか否かが判断される。リンク情報が記憶されていると判断された場合、ＲＯＭ１２のアイコン記憶部２３からファイルアイコンが読み出され（ステップＳ３１）、カレンダーの１日にファイルアイコンが貼り付けされる。（ステップＳ３２）尚、ファイルアイコンはスケジュールアイコンと異なる形状とすることが好ましい。
【００９２】
ステップＳ３３で月の最終日か否かが判断され、最終日の場合はステップＳ３４の処理に進む。ステップＳ３４のカレンダー表示画面に表示された任意のボタン指示によって、表示を切換えることができる。
上記ステップでは１日のスケジュールについての処理を行なっており、この場合、翌日のスケジュールとリンク情報有無の判断を行なうためにステップＳ３５の処理に進む。
【００９３】
ステップＳ３５では、ステップＳ２７の翌日の処理が行なわれる。ステップＳ３５で翌日のスケジュールが記憶されている場合、ステップＳ２８に進む。また、ステップＳ３５で翌日のスケジュールがないと判断された場合、ステップＳ３０の処理に進み、更に、ステップＳ３０でリンク情報が記憶されていないと判断された場合は、ステップＳ３３の処理に進む。
【００９４】
以上の処理手順が繰り返され、その月の最終日までのスケジュールとリンク情報のカレンダーへのアイコン貼り付け処理が行なわれる。
【００９５】
図１７は図７の処理に基づいて表示された場合の１ヶ月のカレンダー表示の具体例を示している。同図においてスケジュールアイコン７０として“■”がファイルアイコン７１として“●”がそれぞれ異なるアイコンとして表示されており、例えば、２００２年３月４日はファイルアイコン７１が表示されており、このアイコン表示により、何等かのファイルが添付されていることが分かる。また、２００２年３月８日はスケジュールアイコン７０とファイルアイコン７１がともに表示されているので、その日には何等かの予定が記憶され、かつ、何等かのファイルが添付されていることが分かる。
【００９６】
以上のように、本発明は、外部情報機器から送られてくるファイルデータを受信するだけで、そのファイルが持っている日付情報に基づいてカレンダーにアイコン表示がされるので、ファイルデータの整理が容易に行なえるという効果がある。
【００９７】
また、リンク情報は必要最小限のデータに基づいて生成されるので、少ない記憶容量でファイル整理が行なえるという効果も有する。
【００９８】
上記、実施例では外部情報機器から送られてくるファイルデータの日付情報がリンク情報としてカレンダーに関連付けられて表示できるものを説明したが、本発明では、日付情報を別の日に変更してカレンダーに関連付け表示できる機能も備えている。この機能によって、一旦、情報処理装置に記憶したファイルデータの日付を変更し、何等かの予定に使用するファイルデータとして管理が行なえる。
【００９９】
以下に、その詳細を説明する。
【０１００】
図１６はスケジュールに添付されたファイル一覧表示の具体例を示しており、当該表示からファイルデータの日付情報の変更処理を行なう。具体的には図１８のフローチャートに基づく処理が行なわれる。
【０１０１】
まず、図６のステップＳ２１において任意のファイル指定の方法が２通りある。一つの方法としては、表示されたファイルをペン５でタッチした場合、同図のステップＳ２２に進む。もう一つの方法は表示されたファイルをタッチし続ける方法であり、以降は、ステップＳ２１の処理で、表示されたファイルをペン５でタッチし続けた場合について図１８に基づき説明する。
【０１０２】
ステップＳ４１で表示されたファイルをペン５でタッチし続けると、ファイル処理ウィンドウ７２が表示される。具体的には図１９の表示が行なわれる。続いてペン５をファイル処理ウィンドウ７２の日付移動に移動させると、ファイルデータの日付変更のためのカレンダーが表示される。（ステップＳ４２）この場合のカレンダー表示はファイルデータの日付情報中の年月情報に対応するカレンダーとなる。具体的には図２０のカレンダーが表示される。ステップＳ４１で指定されたファイルデータが２００２年３月６日のデータであるため、ステップＳ４２で表示されるカレンダーの６日の部分が太枠で強調されている。
【０１０３】
ステップＳ４３でカレンダー表示の変更を行なう場合はステップＳ４４の処理に進み任意の年月のカレンダーを表示する。具体的には、年表示７３で表示される年の１月の表示を行なうボタン７４、前月表示ボタン７５、次月表示ボタン７６、年表示７３で表示される年の１２月の表示を行なうボタン７７、年表示７３の年を切換える年切換えボタン７８の指示によって、変更後の任意のカレンダーを表示する。（ステップＳ４４）
次に、ステップＳ４５で日付変更指示を行なう。具体的にはペン５で任意の日にちを指示する。例えば図２１は２２日をペン５で指示した場合を示しており、図２０では６日が太枠で強調表示されていたものが、図２１では２２日が太枠で強調表示される。
【０１０４】
尚、ステップＳ４３でカレンダーの変更を必要としない場合、即ち、ファイルデータの年月までは同じで日にちだけを変更する場合はカレンダーの変更を必要としないのでステップＳ４５の処理に進む。
【０１０５】
ステップＳ４５で日付の変更指示があると、ステップＳ４６でＲＡＭ１３のリンク情報記憶部３３の日付４８が変更され、引き続き、ステップＳ４７でＲＡＭ１３のフォルダ記憶部３２に記憶されたデータ４７中の日付データも変更される。
【０１０６】
ステップＳ４７の処理を行なうと、処理は図６のステップＳ２０の処理に戻るが、一覧表示されたデータ中、日付変更指示されたもの以外が一覧表示される。
【０１０７】
また、ステップＳ４５で日付変更の指示がない場合、図２０の×ボタン７９、または、ＯＫボタン８０によってカレンダー表示を終了し（ステップＳ４８）、図６のステップＳ２０の処理に戻る。
【０１０８】
以上の処理によって日付変更されたファイルデータは、変更後の日にちのスケジュールに添付されるとともに、カレンダー表示を行なった場合には、変更後の日にちにファイルデータが添付されていることを示すアイコンが関連付けされて表示される。
【０１０９】
尚、本実施例では外部情報機器から送られてくるファイルデータの処理について説明したが、一般的な情報処理装置には装置自身でファイルデータを作成する機能が備わっている。例えば、文書や表データを作成するアプリケーションプログラムや、インターネットから得られる画像データの記憶保存のアプリケーションプログラムなどである。
【０１１０】
これらアプリケーションプログラムはＲＯＭ１２の各種アプリケーションプログラム２２に記憶されており、当該プログラムによって作成されたファイルデータの日付情報に基づいてリンク情報が作成可能となる。
【０１１１】
以上説明した情報処理装置は、少なくとも日付情報を有するファイルデータからリンク情報を生成し、カレンダーに関連付けして表示するためのプログラムでも実現可能である。
【０１１２】
発明の対象は、このプログラムそのものであってもよいし、このプログラムがコンピュータやＰＤＡで読み取り乃至実行可能な例えば、フロッピー（登録商標）ディスク、ＰＣカード、コンパクトフラッシュ（登録商標）、または、ＣＤ−ＲＯＭ等の記録媒体に格納されているものであってもよい。
【０１１３】
【発明の効果】
以上説明したように、本発明によれば、スケジュールにデータが添付されている場合、カレンダーにアイコンで添付することで添付データの有無確認を容易に行なうことが可能となる。
【０１１４】
また、本発明によれば、データがカレンダーに関連付けられて表示されている場合、関連付けを日付変更カレンダーの任意の日付を指示することによって異なる日付に容易に変更することが可能となる。
【図面の簡単な説明】
【図１】本発明に係わる情報処理装置としてＰＤＡの外観を示す図である。
【図２】ＰＤＡのシステム構成を示すブロック図である。
【図３】ＲＯＭ１２の詳細を示すブロック図である。
【図４】ＲＡＭ１３の詳細を示すブロック図である。
【図５】データを受信してリンク情報を生成記憶するまでの処理手順を示すフローチャートである。
【図６】スケジュールアプリケーションの処理手順を示すフローチャートである。
【図７】リンク情報がカレンダーに関連付けされて表示される処理手順を示すフローチャートである。
【図８】ファイルデータのフォーマットを示す図である。
【図９】フォルダ記憶部３２の詳細を示す図である。
【図１０】リンク情報記憶部３３の詳細を示す図である。
【図１１】リンク情報の生成・記憶についての処理手順を示すフローチャートである。
【図１２】スケジュール表示の具体例を示す図である。
【図１３】新規新規スケジュール入力の詳細な表示の具体例を示す図である。
【図１４】週間表示具体例を示す図である。
【図１５】１件の予定の詳細表示の具体例を示す図である。
【図１６】スケジュールに添付されたファイル一覧表示の具体例を示す図である。
【図１７】１ヶ月のカレンダー表示の具体例を示す図である。
【図１８】ファイルデータの日付情報の変更の処理手順を示すフローチャートである。
【図１９】ファイル処理ウィンドウ表示の具体例を示す図である。
【図２０】ファイルデータの日付変更のためのカレンダー表示の具体例を示す図である。
【図２１】ファイルデータの日付変更を指示した場合のカレンダー表示の具体例を示す図である。
【符号の説明】
１　　情報処理装置
２　　表示部
３　　操作キー
４　　タブレット
５　　入力ペン
６　　中央制御部
７　　表示制御部
８　　タブレット制御部
９　　電源部
１０　　データ受信部
１１　　データ受信制御部
１２　　ＲＯＭ
１３　　ＲＡＭ
１４　　ファイル判別部
【図１】
2004046317.tif 000003
【図２】
2004046317.tif 000004
【図３】
2004046317.tif 000005
【図４】
2004046317.tif 000006
【図５】
2004046317.tif 000007
【図６】
2004046317.tif 000008
【図７】
2004046317.tif 000009
【図８】
2004046317.tif 000010
【図９】
2004046317.tif 000011
【図１０】
2004046317.tif 000012
【図１１】
2004046317.tif 000013
【図１２】
2004046317.tif 000014
【図１３】
2004046317.tif 000015
【図１４】
2004046317.tif 000016
【図１５】
2004046317.tif 000017
【図１６】
2004046317.tif 000018
【図１７】
2004046317.tif 000019
【図１８】
2004046317.tif 000020
【図１９】
2004046317.tif 000021
【図２０】
2004046317.tif 000022
【図２１】
2004046317.tif 000023